(57)【要約】【課題】  保持具は接続パイプに巻き付けて取り付けているだけであるので、接続パイプを動かして掃除を行うと保持具が障害物と衝突して落下したり、また、保持具が回転して緩み、落下するといった欠点があった。【解決手段】  電動送風機と集塵部とを有する掃除機本体と、該掃除機本体に接続されるホースと、該ホースに接続される手元操作部と、該手元操作部に接続される延長管と、該延長管に接続される床用吸込み具とを備えた電気掃除機において、前記延長管には外部に突出して設けられたフック体を備え、前記延長管に掃除用付属品を取り付ける保持具を設け、該保持具を前記フック体に係合させた。【選択図】図１
2009066332.tif 000002
【特許請求の範囲】
【請求項１】
電動送風機と集塵部とを有する掃除機本体と、該掃除機本体に接続されるホースと、該ホースに接続される手元操作部と、該手元操作部に接続される延長管と、該延長管に接続される床用吸込み具とを備えた電気掃除機において、
前記延長管には外部に突出して設けられたフック体を備え、
前記延長管に掃除用付属品を取り付ける保持具を設け、該保持具を前記フック体に係合させたことを特徴とする電気掃除機。
【発明の詳細な説明】
【技術分野】
【０００１】
本発明は電気掃除機に関する。
【背景技術】
【０００２】
従来の電気掃除機は、例えば特許文献１（特開平３−１２８０２２号公報）がある。この特許文献１には、接続パイプに取り付けられる保持具を設け、この保持具に接続パイプに巻き付けて取り付ける巻付取付部と、アタッチメントを装着するアタッチメント装着筒を設けている。そして、アタッチメント装着筒に細口吸込口を装着している。
【０００３】
【特許文献１】特開平３−１２８０２２号公報
【発明の開示】
【発明が解決しようとする課題】
【０００４】
しかしながら、上記特許文献１では、保持具は接続パイプに巻き付けて取り付けているだけであるので、接続パイプを動かして掃除を行うと保持具が障害物と衝突して落下したり、また、保持具が回転して緩み、落下するといった欠点があった。
【０００５】
本発明の目的は上記課題を解決し、掃除用付属品を取り付ける保持具の落下を抑制した電気掃除機を提供することにある。
【課題を解決するための手段】
【０００６】
上記目的を達成するために本発明の特徴とするところは、電動送風機と集塵部とを有する掃除機本体と、該掃除機本体に接続されるホースと、該ホースに接続される手元操作部と、該手元操作部に接続される延長管と、該延長管に接続される床用吸込み具とを備えた電気掃除機において、
前記延長管には外部に突出して設けられたフック体を備え、
前記延長管に掃除用付属品を取り付ける保持具を設け、該保持具を前記フック体に係合させたことにある。
【発明の効果】
【０００７】
本発明によれば、掃除用付属品を取り付ける保持具の落下を抑制した電気掃除機を提供することができる。
【発明を実施するための最良の形態】
【０００８】
以下、本発明に係る実施例を添付の図面を用いて説明する。
【実施例１】
【０００９】
図９には本発明の一実施例に電気掃除機１００の外観斜視図である。図９において、１１０は内部に集塵部及び電動送風機を内蔵した掃除機本体、１２０は一端がホース継手１２０ａを介して掃除機本体１１０に接続されたホースである。１３０は一端がホース１２０の他端に接続された手元操作部であり、この手元操作部１３０には使用者が握るハンドル部１３０ａと、電動送風機を制御するスイッチ手段１３０ｂが設けられている。１４０は一端が手元操作部１３０の他端に接続され二つの管体から構成された伸縮可能な延長管である。１５０は延長管１４０の他端に接続された床用吸込み具である。
【００１０】
このような構成において、手元操作部１３０に配置したスイッチ手段１３０ｂを押下すると、掃除機本体１１０に内蔵された電動送風機が運転し、吸引力を発生する。この吸引力により、床用吸込み具１５０から風と共に塵埃を吸込み、吸込んだ塵埃を延長管１４０，手元操作部１３０，ホース１２０で形成される通風路を介して掃除機本体１１０内の集塵部に集塵する。
【００１１】
電気掃除機１００には、様々な場所を掃除できるように、床用吸込み具１５０以外の吸込み具が付属されている。例えば、本実施例では延長管１４０と床用吸込み具１５０との間に刷毛吸込み具１６０が接続されている。この刷毛吸込み具１６０は、床用吸込み具１５０との接続を解除すると、刷毛吸込み具１６０の前方から刷毛１６０ａが突出し、棚の上等の掃除を行うことができる。また、この刷毛吸込み具１６０以外にも、隙間用の吸込み具が付属されている。本実施例は、隙間用の吸込み具の取り付け構造に関するものであり、その構成について図１から図８を用いて説明する。
【００１２】
図１は本発明の一実施例に係る延長管１４０に隙間用の吸込み具２００を取り付けた状態を示す外観斜視図であり、図２は延長管１４０に設けられたフック体１４１の構成を示す外観斜視図である。図３は本発明の一実施例に係る保持具の外観斜視図であり、図４は保持具３００を延長管１４０のフック体１４１に係合させる状態を示す外観斜視図である。図５は図４におけるＡ−Ａ断面図であり、図６は図５におけるＰ部拡大図である。図７は図１と異なる位置に隙間用の吸込み具２００を取り付けた状態を示す外観斜視図であり、図８は保持具３００を延長管１４０のフック体１４１に係合させる状態を示す外観斜視図である。
【００１３】
図１において、延長管１４０は外管１４０ａと外管１４０ａ内に摺動可能に設けられた内管１４０ｂから構成されており、スライドつまみ１４２を操作することにより伸縮可能となっている。隙間用の吸込み具２００は保持具３００により、延長管１４０に固定されている。隙間用の吸込み具２００は、外管２１０と外管２１０内に摺動可能に設けられた内管２２０から構成されており、操作部２３０を操作することにより、伸縮可能となっている。
【００１４】
図２に示すように延長管１４０の外管２１０の左右にはフック体１４１が設けられている。このフック体１４１は延長管１４０から延びた突出部１４２と、この突出部１４２から外管１４１の長手方向に沿って延びた延設部１４３が設けられている。この延設部１４３は突出部１４２の左右に設けられている。保持具３００はフック体１４１の延設部１４３に係合して取り付けられる。
【００１５】
図３を用いて保持具３００の構成を説明する。保持具３００は延長管１４０の外周に装着される取付部３１０と、吸込み具２００を保持する保持部３２０とが設けられている。取付部３１０には、フック体１４１の延設部１４３が挿入される切り欠き部３１１が形成されている。
【００１６】
図４乃至図６を用いて、保持具３００の延長管１４０への取り付け方を説明する。図４において、まず、保持具３００の開口部３１２から保持具３００を延長管１４０に装着する。このとき、フック体１４１と保持具３００の切り欠き部３１１が向かい合うようにして、保持具３００を延長管１４０に装着する。次に、保持具３００をフック体１４１側へとスライドさせ、保持具３００の切り欠き部３１１にフック体１４１の延設部１４３を挿入する。この状態において、図５に示すように保持具３００の切り欠き部３１１にフック体１４１の延設部１４３を挿入される。図６は図５におけるＰ部拡大図である。延設部１４３の延長管１４０と面する側にはリブ１４４が形成され、このリブ１４４が保持具３００の切り欠き部３１１に挿入する。これにより、保持具３００の周方向移動が規制されるので、保持具の落下を抑制することができる。
【００１７】
次に、図７及び図８を用いて、保持具３００の延長管１４０への取り付け方の別の例を説明する。図１において保持具３００は延長管１４０の右側に配置されている。これを左側に装着する例を説明する。図８において、まず、保持具３００の開口部３１２から保持具３００を延長管１４０に装着する。このとき、取付部３２０が延長管１４０の左側に位置するようにすると共に、フック体１４１と保持具３００の切り欠き部３１１が向かい合うようにする。フック体１４１と保持具３００の切り欠き部３１１が向かい合うようにするためには、保持具３００はフック体１４１より手元操作部１３０側に位置させる。すなわち、図４では保持具３００はフック体１４１より床用吸込み具１５０側に位置させており、両者は逆の関係となっている。図８において、保持具３００をフック体１４１側へとスライドさせ、保持具３００の切り欠き部３１１にフック体１４１の延設部１４３を挿入する。
【００１８】
そして、図７に示すように保持具３００の取付部３２０が延長管１４０の左側に位置し、延長管１４０の左側に吸込み具２００を装着する。
【００１９】
以上説明したように本発明によれば、掃除用付属品を取り付ける保持具の落下を抑制した電気掃除機を提供することができる。
【図面の簡単な説明】
【００２０】
【図１】本発明の一実施例に係る延長管１４０に隙間用の吸込み具２００を取り付けた状態を示す外観斜視図である。
【図２】延長管１４０に設けられたフック体１４１の構成を示す外観斜視図である。
【図３】発明の一実施例に係る保持具の外観斜視図である。
【図４】保持具３００を延長管１４０のフック体１４１に係合させる状態を示す外観斜視図である。
【図５】図４におけるＡ−Ａ断面図である。
【図６】図５におけるＰ部拡大図である。
【図７】図１と異なる位置に隙間用の吸込み具２００を取り付けた状態を示す外観斜視図である。
【図８】保持具３００を延長管１４０のフック体１４１に係合させる状態を示す外観斜視図である。
【図９】本発明の一実施例に電気掃除機１００の外観斜視図である。
【符号の説明】
【００２１】
１４１  フック体
２００  吸込み具
３００  保持具
３１０  取付部
３２０  保持部
【図１】
2009066332.tif 000003
【図２】
2009066332.tif 000004
【図３】
2009066332.tif 000005
【図４】
2009066332.tif 000006
【図５】
2009066332.tif 000007
【図６】
2009066332.tif 000008
【図７】
2009066332.tif 000009
【図８】
2009066332.tif 000010
【図９】
2009066332.tif 000011